(57)【要約】本発明は、拡張栓シャフト（２）に相前後して配置されていて拡張域（５）を形成している拡張エレメント（６）を備えた拡張栓（１）に関する。前記拡張エレメント（６）は、それぞれ隣接した拡張エレメントに対してずらして配置された突破り開口（８）を有しており、該突破り開口（８）は、固定ねじ、有利にはねじ釘（１３）を収容するための狭窄された拡張通路（９）を形成している。本発明では前記拡張エレメント（６）がＵ字形に形成されており、しかもこの拡張エレメント（６）の突破り開口（８）の開放側（７）がそれぞれ交互に対置されているので、当該拡張栓を射出成形法によってプラスチックから一体的に、かつ即使用可能に製作することが可能になる。この構成によって前記拡張エレメント（６）は、ねじ釘（１３）の打込みに際して、交互に半径方向片側に押し退けられる。これにより、拡張域（５）の全長にわたって均等な拡張圧が生じ、ひいては打込み抵抗が小さい場合でも拡張栓の高い保持値が得られる。
2004532379.tif 000002
【特許請求の範囲】
【請求項１】
拡張栓であって、拡張栓シャフト（２）に相前後して配置されていて半径方向片側へ押し退け可能であってかつ拡張域（５）を形成している拡張エレメント（６）が設けられており、該拡張エレメント（６）が、それぞれ隣接した拡張エレメントに対してずらして配置された突破り開口（８）を有しており、該突破り開口（８）が、固定ねじ、有利にはねじ釘を収容するための狭窄された拡張通路（９）を形成している形式のものにおいて、拡張エレメント（６）がＵ字形に形成されており、しかも前記拡張エレメント（６）の突破り開口（８）の開放側（７）が、それぞれ交互に対置されていることを特徴とする、拡張栓。
【請求項２】
拡張エレメント（６）の内壁（１１）が、当該拡張栓（１）の差込み端部（４）の方向に狭窄している、請求項１記載の拡張栓。
【請求項３】
拡張エレメント（６）の外壁が、当該拡張栓（１）の差込み端部（４）の方向に傾斜した斜面（１５）を有している、請求項１記載の拡張栓。
【請求項４】
拡張栓シャフト（２）の内孔（１６）が、拡張域（５）への移行部に、ねじ釘用の打込み止めを形成するための狭窄部（１７）を有している、請求項１記載の拡張栓。
【請求項５】
狭窄部（１７）の領域に、互いに向かい合って位置する２つのスリット（１８）が配置されている、請求項４記載の拡張栓。
【発明の詳細な説明】
【技術分野】
【０００１】
本発明は、拡張栓であって、拡張栓シャフトに相前後して配置されていて半径方向片側へ押し退け可能であってかつ拡張域を形成している拡張エレメントが設けられており、該拡張エレメントが、それぞれ隣接した拡張エレメントに対してずらして配置された突破り開口を有しており、該突破り開口が、固定ねじ、有利にはねじ釘を収容するための狭窄された拡張通路を形成している形式のものに関する。
【背景技術】
【０００２】
ドイツ連邦共和国特許出願公開第４０２６９４４号明細書に基づいて公知である前記形式の拡張栓の拡張域は、相前後して配置されていて半径方向片側へ押し退け可能な拡張エレメントによって形成される。該拡張エレメントは、偏心的にかつそれぞれ隣接した拡張エレメントに対してずらして配置された突破り開口を有しており、該突破り開口は、狭窄された拡張通路を形成している。該拡張通路内への固定ねじの打込みに際して、ディスク状の拡張エレメントの、貫通孔として形成されていて互いに偏心的に配置された突破り開口は、相互にかつ拡張栓に対して同軸的に位置調整される。これにより、拡張エレメントは拡張栓の半径方向にシフトされ、ひいては拡張栓が拡開させられかつ穿孔内に固定される。
【０００３】
ディスク状の拡張エレメントに、相互に偏心的にずらして配置された貫通孔を備えた公知の拡張栓を、射出成形によってプラスチックから製作できるようにするために、前記拡張エレメントは、櫛状に形成された２つの固定ウェブに配置されており、両固定ウェブはフィルムヒンジ（Filmscharnier）を介して、拡張栓前端部で互いにヒンジ結合されている。拡張エレメントを備えた両固定ウェブは、該固定ウェブを相互の延長線上に配置した開旋回位置で射出成形され、かつ射出成形金型からの取出し後に閉旋回されるので、両固定ウェブの拡張エレメントは、櫛状に互いに噛み合うように位置する。
【０００４】
相前後して配置された拡張エレメントによって形成された拡張域を備えた、前記のような拡張栓は、応力ピークを回避する均等な拡張圧分布を有している。該拡張圧分布によって、固定ねじの打込み抵抗が僅かな場合でも、特に多孔質でかつ脆性の建築物壁構造体においても、高い引出し値が得られる。
【０００５】
発明の開示：
本発明の課題は、明細書冒頭に述べた形式の拡張栓を改良して、射出成形技術によって一体的にかつ即使用可能にプラスチックから製作可能であり、さらに固定ねじ、特にねじ釘の打込み抵抗が僅かな場合でも高い保持値を有しているような拡張栓を提供することである。
【０００６】
前記課題は本発明によれば、請求項１の特徴部に記載した構成手段によって解決される。本発明による拡張栓では、拡張エレメントがＵ字形に形成されているので、突破り開口は、それぞれ交互に対置されている開放側を有している。したがって、順次相前後して配置された２つのＵ字形拡張エレメントの壁は、閉じられた拡張通路区分を形成しており、該拡張通路区分は、相前後して配置された拡張エレメントの個数によって任意に延長可能である。拡張エレメントによって形成された拡張域は、射出成形金型の両金型半部の、櫛状に互いに噛み合う注型コアによって製作され、この場合、該注型コアの櫛歯は、固定ねじの外径に比べて狭窄された拡張通路が生ぜしめられる程度にオーバーラップするにすぎない。狭窄された拡張通路内へ固定ねじを螺入することまたはねじ釘を打込むことによって、拡張エレメントはそれぞれ交互に両側で、半径方向で穿孔壁に押し付けられ、ひいては拡張栓が穿孔内で拡張される。固定ねじの螺入に際して、逆方向に作用する均等な拡張圧が全拡張域にわたって形成されるので、個々の拡張エレメントの、押し退けられるべき体積が減少され得る。これに伴って、螺入すべき固定ねじもしくは打込むべきねじ釘の打込み抵抗も必然的に低減され、これによって拡張栓の保持値が実質的に侵害されることはない。
【０００７】
特に拡張栓内へねじ釘を打込む際の打込み抵抗のさらなる低減は、拡張エレメントの内壁が拡張栓の差込み端部の方向に狭窄されることによって達成され得る。これにより、各拡張エレメントにおいて拡張通路の漏斗状の狭窄部が生ぜしめられ、この漏斗状の狭窄部によって、拡張通路内における、尖頭を備えたねじ釘の案内が助成される一方、他方では拡張エレメントの半径方向拡開も容易になる。
【０００８】
１つの拡張エレメントの最狭部位における面圧を減少させるために、本発明のさらなる実施形態では、１つの拡張エレメントの外壁は、拡張栓の差込み端部の方向に傾斜した斜面を有していてよい。これによって、穿孔内へ拡張栓を導入する際の鉤止も回避される。
【０００９】
特に、本発明による拡張栓をねじ釘と併用する場合には、拡張栓シャフトの内孔に、拡張域への移行部において、ねじ釘用の打込み止めを形成するための狭窄部を備えると有利である。前記打込み止めによって、次のような可能性が提供される。すなわち、拡張栓シャフトに通常配置されている縁部が、固定すべき対象物に座着するまで、拡張栓を、拡張栓シャフト内に挿入されるねじ釘と共に、固定すべき対象物を貫通して、建築物壁構造体内に準備された穿孔内へ打込む可能性が提供される。前記縁部の座着後に、ねじ釘に対するハンマ打撃によって前記打込み止めが克服され、かつねじ釘が、拡張栓を拡開させるためおよび対象物を建築物壁構造体に緊締するために、拡張栓内へ打ち込まれる。
【００１０】
ねじ釘の直径公差を補償するためには、拡張栓シャフトのオーバーストレッチまたは裂断を避けるために、打込み止めをフレキシブルに構成すると有利である。これは、狭窄部の領域に、互いに向かい合って位置する２つのスリットが配置されていることによって達成され得る。
【００１１】
発明を実施するための最良の形態：
次に図面に基づいて本発明の実施例を詳説する。
【００１２】
図１に示した本発明の拡張栓１は、プラスチックから一体に製作された射出成形部品である。該拡張栓は中空円筒形の拡張栓シャフト２を有しており、該拡張栓シャフト２はその後端部に一体的に、横方向に突出している打込みカラー３を備えている。拡張栓１の差込み端部４の方向で、拡張栓シャフト２に拡張域５が続いている。該拡張域５は、相前後して配置された複数の拡張エレメント６によって形成されている。
【００１３】
図２および図３に基づいて判るように、拡張エレメント６はＵ字形に形成されており、この場合、突破り開口８の開放側７はそれぞれ交互に対置されている。したがって拡張セグメント６の突破り開口８は、連続的に一貫した拡張通路９を形成しており、しかも拡張セグメント６の壁１０は、拡張通路９を画定している。拡張エレメント６の内壁１１は拡張栓１の差込み端部４の方向に狭窄しているので、図２に示したねじ釘１３の尖頭１２に対して、漏斗状の進入斜面が生じる。突破り開口８の最狭部位における中心点は、拡張栓１の中心軸線１４に対して、突破り開口８の開放側７の方向にずらされているので、拡張通路９の楕円形の狭窄部が生じる。これにより拡張エレメント６は、拡張通路９内へのねじ釘１３の打込みに際して、交互にかつ逆方向で半径方向外向きに押圧され、したがって拡張栓１が、建築物壁構造体の穿孔内で拡張される（図示せず）。拡張エレメント６の最狭部位における過大な面圧を避けるために、拡張エレメントの外壁は、拡張栓１の差込み端部４の方向に傾斜した斜面１５を備えている。
【００１４】
ねじ釘１３用の打込み止めとして、拡張栓シャフト２の内孔１６は、拡張域５への移行部に狭窄部１７を有している。該狭窄部１７の領域には、互いに向かい合って位置する２つのスリット１８が配置されている。したがって、狭窄部によって形成された打込み止めは、ねじ釘１３の直径がより大きい場合でも、なお克服可能である。ねじ釘１３のねじ山１９は、尖頭１２の方向では幾分長くて緩勾配のねじ山フランク２０を有しており、かつねじ釘１３のヘッド２２の方向では幾分短くて急勾配のねじ山フランク２１を有している。中心軸線１４に対するねじ山フランク２０の角度は１２゜〜１５゜、ねじ山フランク２１の角度は２０゜〜２５゜であるのが有利である。
【図面の簡単な説明】
【００１５】
【図１】本発明による拡張栓の斜視図である
【図２】ねじ釘を挿入した状態で示した、図１による拡張栓の部分的な軸方向断面図である
【図３】図２のＡ−Ａ断面線に沿った拡大横断面図である。
【符号の説明】
【００１６】
１    拡張栓
２    拡張栓シャフト
３    打込みカラー
４    差込み端部
５    拡張域
６    拡張エレメント
７    開放側
８    突破り開口
９    拡張通路
１０    壁
１１    内壁
１２    尖頭
１３    ねじ釘
１４    中心軸線
１５    斜面
１６    内孔
１７    狭窄部
１８    スリット
１９    ねじ山
２０    長くて緩勾配のねじ山フランク
２１    短くて急勾配のねじ山フランク
２２    ヘッド
【国際公開パンフレット】
2004532379.tif 000003
2004532379.tif 000004
2004532379.tif 000005
2004532379.tif 000006
2004532379.tif 000007
2004532379.tif 000008
2004532379.tif 000009
2004532379.tif 000010
【国際調査報告】
2004532379.tif 000011
2004532379.tif 000012
2004532379.tif 000013
2004532379.tif 000014
2004532379.tif 000015
2004532379.tif 000016